(57)【特許請求の範囲】
【請求項１】
左右一対のカップと、各カップ同士を連結する連結部材と、各カップの脇側縁から延びるサイドパネルと、前記カップおよび前記サイドパネルに接続された肩紐とを備えるブラジャーにおいて、
前記各カップがバストの下側を覆う下側パネルと、前記下側パネルの上縁に沿って取り付けられ、バストの上側を覆う上側パネルと、前記下側パネルおよび前記上側パネルの胸元側にて前記下側パネルと前記上側パネルとを跨ぐようにして取り付けられた縦に伸びた略三角形状の胸元側パネルとで構成され、
前記下側パネル、前記上側パネルならびに前記胸元側パネル同士が互いに縫着または接着されることによって横向き略Ｔ字状の縫着ラインが構成されており、
前記肩紐の一端が前記上側パネルの脇側端部に接続されており、
左右一対のカップの内側縁はフリーになっており、
前記連結部材が前記各カップの下縁に沿って取り付けられていることを特徴とするブラジャー。
【請求項２】
前記連結部材は、ワイヤーなし且つ非伸縮性のテープ状物であることを特徴とする請求項１に記載のブラジャー。
【請求項３】
前記連結部材が、厚手の起毛素材によって形成されていることを特徴とする請求項２に記載のブラジャー。
【発明の詳細な説明】
【技術分野】
【０００１】
本発明は胸元に深い谷間が形成できて美しいバストラインを現出できる新規なブラジャーに関する。
【背景技術】
【０００２】
ブラジャー１Ａは、図５に示すように、通常、左右一対のカップ２と、左右一対のカップ２の下縁２ｄから内側縁２ｅにかけて縫着された連結部材３と、各カップ２の脇側縁から延びるサイドパネル４と、カップ２およびサイドパネル４に接続された肩紐５とで形成されており、カップ２の下縁２ｄには、バストを支持するための金属製ワイヤー６が設けられている（特許文献１参照）。そして、カップ２は、上辺パネル２ａ、下辺内側パネル２ｂ及び下辺外側パネル２ｃの３ピースで構成されており、各パネル２ａ〜２ｃの接続縁が互いに縫着されて略Ｔ形の縫着線７を構成し丸みを現出している。なお、３枚のパネル（この従来例では、上側パネル２ａ、下片内側パネル２ｂおよび下片外側パネル２ｃ）がそれぞれ突き合されている部分（以下、「トップ部Ｘ」という。）は、通常、バストの乳首の位置と略一致するように設定されている。
【０００３】
ところが近年では、ブラジャー１Ａを着用する際、カップ２内に収容したバストをカップ２で心もち吊り上げ且つカップ２の胸元側に寄せて双球のバストによる谷間をカップ２の間に現出し、美しいバストラインを形成することが流行するようになって来たが、図５に示す従来例ではこのようなことが出来なかった。
【０００４】
そこで、図６に示すように連結部材３が前記各カップ２の下縁に沿って取り付けられたブラジャー１Ｂが提案され、カップ２内に収容したバストをカップ２で心もち吊り上げ且つカップ２の胸元側に寄せて双球のバストによる谷間をカップ２の間に現出できるようになった(特許文献２)。
【特許文献１】特開２００７−７０７５３号公報
【特許文献２】特開２００４−３１６０３６号公報
【発明の開示】
【発明が解決しようとする課題】
【０００５】
ところが、図６のブラジャー１Ｂでは、連結部材３が前記カップ２の下縁２ｄに沿って取り付けられ、カップ２が上下２枚のピース(2イ)(2ロ)で構成され、上側のピース(2イ)が連結部材３から肩紐５に至り、その間に縫着ラインがない一枚もので、しかもカップ２の内側縁２ｅがフリーとなっていた。そして、このブラジャー１Ｂを装着してバストを吊り上げて内側に寄せると、バストがカップ２の内側縁２ｅ側に押し付けられてカップ２の内側縁２ｅに圧力がかかることになる。しかしながら図６のブラジャー１Ｂではカップ２の内側縁２ｅがフリーでありしかも縫着ラインがないので、内側に寄せられたバストを支える力が弱く、この状態で活動するとカップ２の内側縁２ｅからバストが次第にはみ出す傾向があるという問題があった。
【０００６】
それ故に、この発明の主たる目的は、カップの内側縁の支持力を向上させて自然で美しい胸元の谷間を強調することができる着用感の優れた新たなブラジャーを提供することである。
【課題を解決するための手段】
【０００７】
請求項１に記載した発明は、「左右一対のカップ１２と、各カップ１２同士を連結する連結部材１４と、各カップ１２の脇側縁から延びるサイドパネル１６と、カップ１２およびサイドパネル１６に接続された肩紐１８とを備えるブラジャー１０において、各カップ１２がバストの下側を覆う下側パネル１２ａと、下側パネル１２ａの上縁に沿って取り付けられ、バストの上側を覆う上側パネル１２ｂと、下側パネル１２ａおよび上側パネル１２ｂの胸元側にて下側パネル１２ａと上側パネル１２ｂとを跨ぐようにして取り付けられた縦に伸びた略三角形状の胸元側パネル１２ｃとで構成され、下側パネル１２ａ、上側パネル１２ｂならびに胸元側パネル１２ｃ同士が互いに縫着または接着されることによって横向き略Ｔ字状の縫着ライン２０が構成されており、肩紐１８の一端が上側パネル１２ｂの脇側端部に接続されており、左右一対のカップ１２の内側縁１２ｅはフリーになっており、連結部材１４が各カップ１２の下縁１２ｄに沿って取り付けられている」ことを特徴とする。
【０００８】
この発明では、胸元側パネル１２ｃがバストの下側を覆う下側パネル１２ａとバストの上側を覆う上側パネル１２ｂとを跨ぐようにしてその胸元側に取り付けられているので、胸元側パネル１２ｃに沿って下側パネル１２ａと上側パネル１２ｂとの間、即ち連結部材１４からカップ２の内側縁１２ｅにかけて縦の境界ライン２０(通常は縫着ライン２０)が形成されることになり、その結果たとえカップ２の内側縁１２ｅがフリーであったとしても、バストを心もち吊り上げて内側に寄せて胸元に谷間を作った場合に、カップ１２の胸元側に寄せられたバストは縦に伸びた１枚のパネル、すなわち、胸元側パネル１２ｃに堤込まれたように接することになり、これにより内側に向けて寄せられたバストの圧力を包み込んで十分担持することができるようになり、カップ１２の内側縁１２ｅからはみ出すようなことがなく、自然なバストラインを形成できる。
【０００９】
請求項２に記載した発明は、「連結部材１４はワイヤーなし且つ非伸縮性のテープ状物である」ことを特徴とするものであり、それ故、ブラジャー１０の着用時には、肩紐１８の吊上力によってカップ１２が上方に吊り上げられ且つ内側に寄せられてバストが支持されるのであるが、この発明では、カップ１２同士を接続する、ワイヤーなしで非伸縮性テープ状の１本の連結部材１４が各カップ１２の下縁１２ｄに沿って取り付けられているので、肩紐１８による吊上力は左右のカップ１２の下縁１２ｄから吊り上げ方向及び内側に向かって均等に加わることになり、胸元に深い谷間が形成されたより美しいバストラインを形成することが可能となる。
【００１０】
請求項３に記載した発明は、「連結部材１４が、厚手の起毛素材によって形成されている」ことを特徴とするものである。
【００１１】
この発明では、カップ１２の下縁に取り付けられている連結部材１４が柔らかな厚手の起毛素材によって形成されているので、カップ１２の下縁に金属製の硬いワイヤーが取り付けられている場合とは異なり、連結部材１４が押し当てられることによる苦痛が大幅に軽減され、ブラジャー着用時の着用感が向上する。
【発明の効果】
【００１２】
本発明によれば、胸元に双球の深い谷間が形成された自然で美しいバストラインを形成でき、しかもその美しいバストラインを長時間に亘って持続でき、更に着用感が良好なブラジャーを提供できる。
【発明を実施するための最良の形態】
【００１３】
以下、本発明を図面に従って説明する。本発明が適用されたブラジャー１０は、図１〜図２に示すように、左右一対のカップ１２と、左右一対のカップ１２同士を連結する連結部材１４と、カップ１２の脇側縁から延びるサイドパネル１６と、肩紐１８とで大略構成されている。
【００１４】
各カップ１２は、バストを覆う椀状の部材であり、図３に示すように、バストの下側を覆う略紡錘形状の下側パネル１２ａと、バストの上側を覆う帯状の上側パネル１２ｂと、下側パネル１２ａおよび上側パネル１２ｂの胸元側にて下側パネル１２ａと上側パネル１２ｂとを跨ぐようにして取り付けられた略三角形状の胸元側パネル１２ｃとを有し、各パネル同士が互いに縫着或は接着されて横向き略Ｔ字状の縫着ライン２０を構成し丸みを現出している。
【００１５】
各カップ１２を形成する際には、まず、下側パネル１２ａの上縁に沿って上側パネル１２ｂを配置し、両部材を縫着或は接着する。そして、下側パネル１２ａと上側パネル１２ｂとの一体物の胸元側に胸元側パネル１２ｃを配置し、この一体物に胸元側パネル１２ｃを縫着或は接着して目的とするカップ形状に応じて湾曲面を構成し、これによりカップ１２が完成する。従って、胸元側パネル１２ｃと下側パネル１２ａと上側パネル１２ｂとの一体物との接合部分には縦の境界ライン２０(縫着ライン２０又は接着ライン２０)が形成されることになる。なお、本実施例では、カップ１２の表面側に装飾用のレース生地２２が縫着或は接着されている。
【００１６】
連結部材１４は、左右一対のカップ１２同士を連結するためのものである。本実施例では、連結部材１４としてワイヤレス(カップ１２の下縁１２ｄにワイヤボーンが挿入用されていないこと)で厚手の起毛素材をテープ状にした非伸縮性のものが採用されており、このテープ状の連結部材１４を各カップ１２の下縁１２ｄに縫着或は接着することによってカップ１２同士が連結されている。カップ１２の内側縁１２ｅは連結部材１４が縫着或は接着されずフリーになっているが、連結部材１４が縫着或は接着されたカップ１２の下縁１２ｄからカップ１２の内側縁１２ｅに至る縦方向の境界ライン２０(縫着ライン２０又は接着ライン２０)が形成され、内側縁１２ｅ方向の力に対する強度を付与している。連結部材１４に用いられる起毛素材の具体例としては、別珍、コットンネル、ベルベット、ビロード等が挙げられる。
【００１７】
ここで、連結部材１４として「厚手の起毛素材」が採用されているのは、ワイヤレスであるにも拘わらず連結部材１４そのものの基材強度を高めてカップ１２の下側でバストをしっかりとサポートするとともに、連結部材１４が肌に触れたときの着用感を高めることを目的としているからである。
【００１８】
サイドパネル１６は、伸縮性の繊維素材によって形成された帯状部材であり、サイドパネル１６の一端がカップ１２の脇側縁に縫い付けられている。そして、一方のサイドパネル１６の先端部には、被係止具２４が取り付けられており（図１参照）、他方のサイドパネル１６の先端部には、被係止具２４に係止されるフック２６が取り付けられている（図２参照）。
【００１９】
肩紐１８は、カップ１２の位置ずれを防止するとともにカップ１２に収納されたバストを持ち上げて保持するものであり、肩紐１８の一端がカップ１２の上側パネルの脇側端部に接続されており、他端が背中側に位置するサイドパネル１６の上側縁に接続されている。
【００２０】
ブラジャー１０を着用する際には、図４に示すように、バストをカップ１２の胸元側に寄せ集めて美しい谷間を現出したバストラインを形成する。ブラジャー１０を装着した状態では、カップ１２がバストを保形し、肩紐１８の吊上げ力によって、バストが持ち上げられるとともに内側へ寄せられて保持される。
【００２１】
ここで重要な点は、カップ１２の胸元側に寄せ集められたバストは、その胸元側が胸元側パネル１２ｃによって包むように接して保持されているという点である。つまり、肩紐１８の吊上力によって心もち持ち上げられるとともに内側へ寄せられて保持されたバストは当然前述のように胸元に深く美しい谷間を形成することになる。換言すれば、内側へ寄せられて保持されたバストからカップ１２の内側縁１２ｅ側に押圧力(図４の矢印)が掛かることになり、この内側方向の押圧力を支える力がカップ１２に要求される。そこで、本発明では既に述べたように胸元側パネル１２ｃがバストの下側を覆う下側パネル１２ａとバストの上側を覆う上側パネル１２ｂとを跨ぐようにしてその胸元側に取り付けられているので、その境界に縦の境界ライン２０(縫着ライン２０又は接着ライン２０)が形成されることになり、胸元側パネル１２ｃに対して胸元側に向いた水平方向の力に対する包み込み強度を大幅に向上すると共にバストの胸元側側面に１枚で包むように接する事になる。
【００２２】
換言すれば、胸元側パネル１２ｃは縦に伸びた略三角形状であって、カップ１２内に収められたバストはあたかも風を孕んだヨットの三角帆のように撓んだ胸元側パネル１２ｃによって包まれて保持され、カップ１２の内側縁１２ｅからはみ出すことなく自然なバストラインが形成されることになる。従って、本発明のようなバストを心もち吊り上げて内側に寄せて胸元に谷間を作るブラジャーにあって、縦方向に伸びた胸元側パネル１２ｃは必須不可欠のカップピースとなる。
【００２３】
更にこの縦方向に伸びた胸元側パネル１２ｃは図５のような従来のブラジャー１Ａと異なり、その途中に縫着線といったバストラインを崩す要素が存在しないため、自然で美しいバストラインを形成することができるのである。
【００２４】
また、ブラジャー１０の着用時には、肩紐１８の吊上力によってカップ１２が上方に吊り上げられてバストが支持されるのであるが、カップ１２同士を接続する１本の連結部材１４がワイヤレス且つ非伸縮性であって各カップ１２の下縁に沿って取り付けられているので、収納されたバストに起因してカップ１２にかかる力に応じて連結部材１４が自在に変形し、これによって肩紐１８による吊上力は左右のカップ１２に均等に加わることになり、より美しいバストラインを形成できる。しかも、該連結部材１４は厚手の起毛素材によって形成されているので、従来の金属ワイヤーのような着用時における不快感を感じることもない。
【００２５】
さらに、カップ１２は、上側パネル１２ｂを幅狭の帯状とし、且つ、上側パネル１２ａが下側パネル１２ａと湾曲面を形成するように構成されているので、胸元の大きく開いた衣服を着用するような場合にブラジャー１０や、カップ１２内の乳首のシルエットがアウターの外から見えないという効果も得ることができる。
【００２６】
以上述べたように、本実施例のブラジャー１０によれば、自然で美しいバストラインを形成でき、美しいバストラインを長時間に亘って持続でき、しかも着用感が良好なブラジャーを提供できる。
【図面の簡単な説明】
【００２７】
【図１】本発明が適用されたブラジャーを示す正面図である。
【図２】本発明が適用されたブラジャーを示す背面図である。
【図３】本発明が適用されたブラジャーを示す斜視図である。
【図４】図１のブラジャーを装着した正面図である。
【図５】従来１のブラジャーを示す正面図である。
【図６】従来２のブラジャーを装着した正面図である。
【符号の説明】
【００２８】
１０…ブラジャー
１２…カップ
１２ａ…下側パネル
１２ｂ…上側パネル
１２ｃ…胸元側パネル
１４…連結部材
１６…サイドパネル
１８…肩紐
【図１】
0004943965.tif 000002
【図２】
0004943965.tif 000003
【図３】
0004943965.tif 000004
【図４】
0004943965.tif 000005
【図５】
0004943965.tif 000006
【図６】
0004943965.tif 000007